(57)【要約】【課題】  本発明は、従来にない作用効果を発揮する画期的な創外固定器を提供することを目的とする。【解決手段】  骨５に添設される添設体３に、該骨５に刺入されるピン４を支持するピン支持部を設けた創外固定器であって、前記ピン支持部は、骨５に生じた切離部５ｃを境界として骨５の長さ方向両側に配設される左ピン支持部１Ａ及び右ピン支持部１Ｂで構成され、この左ピン支持部１Ａ及び右ピン支持部１Ｂのうち少なくとも一方は、一の方向にピン４が並設される構成の第一ピン並設支持構造部６及び他の方向にピン４が並設される構成の第二ピン並設支持構造部７を具備するものである。【選択図】      図１
2006101896.tif 000002
【特許請求の範囲】
【請求項１】
骨に添設される添設体に、該骨に刺入されるピンを支持するピン支持部を設けた創外固定器であって、前記ピン支持部は、骨に生じた切離部を境界として骨の長さ方向両側に配設される左ピン支持部及び右ピン支持部で構成され、この左ピン支持部及び右ピン支持部のうち少なくとも一方は、一の方向にピンが並設される構成の第一ピン並設支持構造部及び他の方向にピンが並設される構成の第二ピン並設支持構造部を具備するものであることを特徴とする創外固定器。
【請求項２】
骨に添設される添設体に、該骨に生じた切離部を境界として骨の長さ方向両側に配設され、該切離部を境界として、一方は、骨に刺入されるピンを支持する構成であり、他方は、骨の近傍の身体部位に固定される構成である創外固定器であって、前記ピンを支持する一方の部位は、一の方向にピンが並設される構成の第一ピン並設支持構造部及び他の方向にピンが並設される構成の第二ピン並設支持構造部を具備するものであることを特徴とする創外固定器。
【請求項３】
請求項１，２いずれか１項に記載の創外固定器において、前記第一ピン並設支持構造部で支持されるピンが並設される方向と、第二ピン並設支持構造部で支持されるピンが並設される方向とは直交する関係であることを特徴とする創外固定器。
【請求項４】
請求項１〜３いずれか１項に記載の創外固定器において、前記添設体は左ピン支持部と右ピン支持部とが屈曲部若しくは湾曲部を介して連設された構成であることを特徴とする創外固定器。
【請求項５】
請求項１〜４いずれか１項に記載の創外固定器において、該創外固定器は指を骨折した際、該指に添設されるものであることを特徴とする創外固定器。
【発明の詳細な説明】
【技術分野】
【０００１】
本発明は、骨折治療などに使用される創外固定器に関するものである。
【背景技術】
【０００２】
例えば骨折等により切離した骨を接合する治療に際しては、創外固定器が使用される。
【０００３】
この創外固定器は、両端部にピン支持部が夫々設けられた添設体と、各ピン支持部に支持されるピンとから成る構成で、骨折により切離した骨の脇に添設体を配置し、切離部を境界として、境界の右側の骨に刺入したピンを一方のピン支持部で支持するとともに、境界の左側の骨に刺入したピンを他方のピン支持部で支持するものであり、その後の骨の成長によって前記切離部が消失した後（骨折が治癒した後）、骨からピンを除去する。
【発明の開示】
【発明が解決しようとする課題】
【０００４】
この創外固定器は、切離した骨同志の堅固な固定及び創外固定器の治療箇所に対する堅固な装着を目的として、ピンを複数本（通常２本）を採用し、切離部を境界にして両側に例えば２本のピンを刺入れしている。
【０００５】
ところで、２本のピンを刺入する場合、ピンの間隔をある程度確保したい為、骨の長さ方向に並設して刺入することが望ましく、その為、各ピン支持部は、添設体の長さ方向にピンを支持するピン支持孔が２箇所並設される構成とされている。
【０００６】
ところが、骨折した箇所が関節付近のように、骨の長さ方向にピンを刺入する十分なスペースがない場合がある。
【０００７】
そこで、従来においては、前述した骨の長さ方向に並設されて刺入したピンを支持できるタイプのピン支持部の他に、骨の巾方向に並設されて刺入したピンを支持できるタイプのピン支持部を用意し、この２種類のピン支持部を適宜組み合わせて使用している。尚、実際には、一方のピン支持部は骨の長さ方向にピンが並設されるタイプを採用し、他方のピン支持部として、骨の長さ方向にピンが並設されるタイプ及び骨の巾方向にピンが並設されるタイプを採用している。なぜなら、堅固な固定という趣旨から、一方のピン支持部は骨の長さ方向にピンが並設されるタイプが望ましく、且つ、双方のピン支持部に骨の巾方向にピンが並設されるタイプを採用しなければならない場面は略あり得ないからである。
【０００８】
しかしながら、この２種類のピン支持部をその都度取り替えるのは煩わしく、しかも、部品点数が多くなる為、量産性が悪くコスト高になるなどの問題点がある。
【０００９】
本発明は、上述した問題点を解決する、従来にない作用効果を発揮する画期的な創外固定器を提供する。
【課題を解決するための手段】
【００１０】
添付図面を参照して本発明の要旨を説明する。
【００１１】
骨５に添設される添設体３に、該骨５に刺入されるピン４を支持するピン支持部を設けた創外固定器であって、前記ピン支持部は、骨５に生じた切離部５ｃを境界として骨５の長さ方向両側に配設される左ピン支持部１Ａ及び右ピン支持部１Ｂで構成され、この左ピン支持部１Ａ及び右ピン支持部１Ｂのうち少なくとも一方は、一の方向にピン４が並設される構成の第一ピン並設支持構造部６及び他の方向にピン４が並設される構成の第二ピン並設支持構造部７を具備するものであることを特徴とする創外固定器に係るものである。
【００１２】
また、骨５に添設される添設体３に、該骨５に生じた切離部５ｃを境界として骨５の長さ方向両側に配設され、該切離部５ｃを境界として、一方は、骨５ａに刺入されるピン４を支持する構成であり、他方は、骨５ｂの近傍の身体部位に固定される構成である創外固定器であって、前記ピン４を支持する一方の部位は、一の方向にピン４が並設される構成の第一ピン並設支持構造部６及び他の方向にピン４が並設される構成の第二ピン並設支持構造部７を具備するものであることを特徴とする創外固定器に係るものである。
【００１３】
また、請求項１，２いずれか１項に記載の創外固定器において、前記第一ピン並設支持構造部６で支持されるピン４が並設される方向と、第二ピン並設支持構造部７で支持されるピン４が並設される方向とは直交する関係であることを特徴とする創外固定器に係るものである。
【００１４】
また、請求項１〜３いずれか１項に記載の創外固定器において、前記添設体３は左ピン支持部１Ａと右ピン支持部１Ｂとが屈曲部若しくは湾曲部を介して連設された構成であることを特徴とする創外固定器に係るものである。
【００１５】
また、請求項１〜４いずれか１項に記載の創外固定器において、該創外固定器は指を骨折した際、該指に添設されるものであることを特徴とする創外固定器に係るものである。
【発明の効果】
【００１６】
本発明は上述のように構成したから、前述した従来から提案されるものと異なり、ピンを刺入する箇所に応じて、第一ピン並設支持構造部と第二ピン並設支持構造部を選択するだけで良いから、治療箇所への装着作業が迅速且つ良好に行なえることになり、しかも、部品点数を少なくすることができるためコスト安にして量産性に秀れることになるなど極めて商品価値の高い画期的な創外固定器となる。
【発明を実施するための最良の形態】
【００１７】
好適と考える本発明の実施形態を、図面に基づいて本発明の作用を示して簡単に説明する。
【００１８】
例えば骨折等により切離した骨５の治療に際し、骨折により切離した骨５の脇に添設体３を配置し、切離部５ｃを境界とする一方の骨５ａに刺入したピン４を左ピン支持部１Ａで支持するとともに、他方の骨５ｂに刺入させたピン４を右ピン支持部１Ｂで支持する。
【００１９】
尚、左ピン支持部１Ａ，右ピン支持部１Ｂで支持した状態のピン４を骨５ａ，５ｂに刺入するようにしても良い。
【００２０】
ところで、本発明は、この左ピン支持部１Ａ及び右ピン支持部１Ｂのうち少なくとも一方は、一の方向にピン４が並設される構成の第一ピン並設支持構造部６及び他の方向にピン４が並設される構成の第二ピン並設支持構造部７を具備するものであり、よって、骨５に刺入したピン４を第一ピン並設支持構造部６若しくは第二ピン並設支持構造部７のいずれか一方で支持するものである。
【００２１】
具体的には、例えば第一ピン並設支持構造部６を、骨５の長さ方向に並設されて該骨５に刺入するピン４を支持する構成とし、第二ピン並設支持構造部７を、骨５の巾方向に並設されて該骨５に刺入するピン４を支持する構成とした場合、例えばピン４を刺入する箇所が、関節付近でないとき、即ち、ピン４を骨５の長さ方向に並設して該骨５に刺入するに十分な長さのある箇所であるときには、ピン４を骨５の長さ方向に並設して該骨５に刺入し、これら各ピン４を第一ピン並設支持構造部６で支持するようにする。また、ピン４を刺入する箇所が、関節付近であるとき、即ち、ピン４を骨５の長さ方向に並設して該骨５に刺入するに十分な長さのない箇所であったときには、ピン４を骨５の巾方向に並設して該骨５に刺入し、これら各ピン４を第二ピン並設支持構造部７で支持することになる。
【００２２】
従って、本発明によれば、骨５の切離部５ａの状況に応じて該骨５にピン４を刺入できるから、切離部５ｃを確実に固定することができる。
【００２３】
以上、本発明は、前述した従来から提案されるものと異なり、ピン４を刺入する箇所に応じて、ピン支持部を取り替えたりせずに、第一ピン並設支持構造部６と第二ピン並設支持構造部７を選択するだけで良いから、治療箇所への装着作業が迅速且つ良好に行なえることになり、しかも、部品点数を少なくすることができるためコスト安にして量産性に秀れるなど極めて商品価値の高い画期的な創外固定器となる。
【実施例１】
【００２４】
本発明の具体的な実施例１について図１〜８に基づいて説明する。
【００２５】
本実施例は、骨５に添設される添設体３に、該骨５に刺入されるピン４を支持するピン支持部を設けた創外固定器であって、前記ピン支持部は、骨５に生じた切離部５ｃを境界として骨５の長さ方向両側に配設される左ピン支持部１Ａ及び右ピン支持部１Ｂで構成され、この左ピン支持部１Ａ及び右ピン支持部１Ｂのうち少なくとも一方は、一の方向にピン４が並設される構成の第一ピン並設支持構造部６及び他の方向にピン４が並設される構成の第二ピン並設支持構造部７を具備するものである。
【００２６】
具体的には、添設体３は、図１に図示したように左ピン支持部１Ａと右ピン支持部１Ｂとが屈曲部10を介して連設されている。
【００２７】
この屈曲部10は、後述する右ピン支持部１Ｂの端部に設けられる球状部材11と左ピン支持部１Ａの端部に設けられる抜け止め連結部材12とで構成され、該球状部材11は該抜け止め連結部材12に抜け止め状態で遊動自在に連結される。
【００２８】
従って、添設体３は、屈曲部10により骨５の形状（湾曲）に対応させて適宜屈曲させることが可能となり、よって、該添設体３を骨５に良好に添設し得ることになる。その他にも、関節を介して連設される骨５同志間の関節位置にこの屈曲部10を配した状態で該骨５に添設体３を添設させることも可能であり、この場合、関節を動かすことが可能な状態（リハビリ屈伸可能な状態）での治療が行なえることになる。
【００２９】
尚、左ピン支持部１Ａと右ピン支持部１Ｂとの連設部は、前述した屈曲構造に限らず、湾曲可能な構造にしても良いなど、本実施例の特性を発揮し得る構成であればどのような構成も適宜採用し得るものである。
【００３０】
左ピン支持部１Ａは、チャンネル部材14と、このチャンネル部材14に嵌合される嵌合部材13とで構成されている。
【００３１】
嵌合部材13は、図１〜５に図示したように適宜な合成樹脂製の部材を角柱状に形成したものであり、その先端部及び後端部にはネジ部13ａ，13ｂが突出形成されており、先端部のネジ部13ａは、螺着部材15を介して後述するチャンネル部材14を連結するための部位であり、後端部のネジ部13ｂは、後述する抜け止め連結部材12を螺着するための部位である。尚、後端部のネジ部13ｂの先端面（図示省略）は、後述する球状部材11の球部11ａを受ける凹湾曲面に形成されている。
【００３２】
また、嵌合部材13は、その対向二面（正面部及び背面部）に貫通する４個の貫通孔16ａ，16ｂ，16ｃ，16ｄが形成されている。
【００３３】
図５に図示したように４個の貫通孔16ａ，16ｂ，16ｃ，16ｄのうち、２個の貫通孔16ａ，16ｂは、嵌合部材13の長さ方向に並設されて形成され、残りの２個の貫通孔16ｃ，16ｄは、前記貫通孔16ａ，16ｂが並設される方向と直交する方向、即ち、嵌合部材13の巾方向に並設されて形成されており、この４個の貫通孔16ａ，16ｂ，16ｃ，16ｄ夫々は、後述するチャンネル部材14を嵌合部材13に被嵌させた際、チャンネル部材14に形成される４個の貫通孔17ａ，17ｂ，17ｃ，17ｄ夫々に合致するように構成されている。
【００３４】
チャンネル部材14は、図１〜４に図示したように適宜な合成樹脂製の部材をコ字状に形成したものであり、基板部14ａと、該基板部14ａに突設される一対の突板部14ｂ，14ｃとから成り、前述した嵌合部材13（先端部，正面部及び背面部）に被嵌し得るように構成されている。
【００３５】
また、チャンネル部材14は、基板部14ａの中央部に嵌合部材13の先端部に設けたネジ部13ａを貫挿する孔14ａ’が形成されており、この孔14ａ’をネジ部13ａに被嵌させることでチャンネル部材14は嵌合部材13に対してスライド移動自在に被嵌連結され、更に、この状態でネジ部13ａに螺着部材15を螺着することで、この嵌合部材13に対するチャンネル部材14のスライド移動範囲は規制されることになる。
【００３６】
また、チャンネル部材14は、その突板部14ｂ，14ｃ夫々に、前述した嵌合部材13の貫通孔16ａ，16ｂ，16ｃ，16ｄと同径、同形状の４個の貫通孔17ａ，17ｂ，17ｃ，17ｄが形成されている。
【００３７】
図５に図示したように４個の貫通孔17ａ，17ｂ，17ｃ，17ｄのうち、２個の貫通孔17ａ，17ｂは、チャンネル部材14の長さ方向に並設されて形成され、残りの２個の貫通孔17ｃ，17ｄは、前記貫通孔17ａ，17ｂが並設される方向と直交する方向、即ち、チャンネル部材14の巾方向に並設されて形成されており、この４個の貫通孔17ａ，17ｂ，17ｃ，17ｄ夫々は、チャンネル部材14を嵌合部材13に被嵌させて、突板部14ｂ，14ｃを嵌合部材13の正面部及び背面部に重合状態とした際、嵌合部材13に形成される４個の貫通孔16ａ，16ｂ，16ｃ，16ｄ夫々に合致するように構成されている。
【００３８】
以上の構成から成る左ピン支持部１Ａは、嵌合部材13に対してチャンネル部材14を被嵌連結した際、嵌合部材13の貫通孔16ａ，16ｂ，16ｃ，16ｄと、チャンネル部材14の貫通孔17ａ，17ｂ，17ｃ，17ｄとが合致して成る各合致孔によりピン支持部が形成されることになる。
【００３９】
具体的には、図５に図示したように嵌合部材13の長さ方向に並設される貫通孔16ａ，16ｂとチャンネル部材14の長さ方向に並設される貫通孔17ａ，17ｂとの合致孔により第一ピン並設支持構造部６が形成され、一方、この貫通孔16ａ，16ｂ及び貫通孔17ａ，17ｂが並設される方向と直交する方向、即ち、嵌合部材13の巾方向に並設される貫通孔16ｃ，16ｄとチャンネル部材14の巾方向に並設される貫通孔17ｃ，17ｄとの合致孔により第二ピン並設支持構造部７が形成されることになる。
【００４０】
この第一ピン並設支持構造部６及び第二ピン並設支持構造部７夫々に係る各合致孔は、嵌合部材13に対してチャンネル部材14をスライド移動させることでその径が狭くなり、この第一ピン並設支持構造部６及び第二ピン並設支持構造部７夫々に係る各合致孔にピン４を嵌挿し、螺着部材15を締付方向に螺動させて嵌合部材13に対してチャンネル部材14をスライド移動させると、各合致孔の径が狭くなることでピン４は挟持支持される。
【００４１】
尚、本実施例では、第一ピン並設支持構造部６で支持されるピン４が並設される方向と、第二ピン並設支持構造部７で支持されるピン４が並設される方向とを直交する関係に設定したが、これに限らず所定角度傾斜した状態で交叉する関係に設定しても良いなど、本実施例の特性を発揮し得る構成であればどのような構成も適宜採用し得るものである。
【００４２】
右ピン支持部１Ｂは、適宜な合成樹脂製の箱状部材18と、この箱状部材18に移動自在に架設される適宜な合成樹脂製の架設部材19とで構成されている。
【００４３】
箱状部材18は、図１〜４に図示したようにその先端部に凹部18ａが形成され、この凹部18ａには球状部材11が連結される。
【００４４】
この球状部材11は、図２に図示したように適宜な合成樹脂製の部材で形成したものであり、球部11ａと、この球部11ａに突出する連結杆部11ｂとで構成されており、この連結杆部11ｂは箱状部材18に係る凹部18ａに嵌挿するように設けられ、この連結杆部11ｂを凹部18ａに嵌挿させ、この状態で箱状部材18の正面側から嵌挿される止着ピン22を該連結杆部11ｂの側面に設けた連結凹部11ｂ’に挿入することで、球状部材11は箱状部材18に対して連結される。
【００４５】
また、箱状部材18は、その内部に架設部材19とで形成される空間20を有し、この空間20は正面部及び背面部において開口しており、また、上面部及び下面部には空間20と連通する長窓状の貫通孔19ｂ，20ｂが架設部材19及び箱状部材18夫々に形成されている。この貫通孔19ｂ，20ｂには後述する連結部材20が該貫通孔19ｂ，20ｂの長さ方向に移動自在に嵌挿される。
【００４６】
この空間20の内面（架設部材19の内面19ａ及び箱状部材18の底面20ａ）には摩擦係数の高い粗面処理が施され、該空間20に配されるピン４の滑りが防止される。
【００４７】
また、箱状部材18は、その前後上縁部夫々に係止凹部20ｃ，20ｄが形成されており、この係止凹部20ｃ，20ｄには架設部材19の前後端部に形成される凸部19ｃ，19ｄが係止し得るように構成されており、箱状部材18に対して架設部材19は連結部材21を介して着脱自在に設けられている。
【００４８】
この連結部材21は、図２に図示したように適宜な合成樹脂製の部材で形成したものであり、箱状部材18の貫通孔20ｂ及び架設部材19の貫通孔19ｂに貫通されるネジ部材21ａと、該ネジ部材21ａに螺着するナット部材21ｂとで構成されており、ネジ部材21ａを箱状部材18の貫通孔20ｂ及び架設部材19の貫通孔19ｂに貫通させ、ネジ部材21ａの一端部に設けた係止部21ａ’を箱状部材18に係る貫通孔20ｂに周り止め状態に係止するとともに、架設部材19の貫通孔19ｂから突出する部位にナット部材21ｂを螺着して該ナット部材21ｂを架設部材19の外面に係止させる。従って、連結部材21に係るナット部材21ｂを締め付けることで、空間20に配されるピン４が箱状部材18と架設部材19とで挟持される。
【００４９】
以上の構成から成る右ピン支持部１Ｂは、箱状部材18と架設部材19とを連結部材21を介して連結した際、複数（２本）のピン４を並設状態で挟持支持するピン支持部が形成されることになる。このピン支持部はピン４を右ピン支持部１Ｂの長さ方向に並設されるものである。
【００５０】
抜け止め連結部材12は、図２に図示したように適宜な合成樹脂製の部材を筒状に形成したものであり、その内面には嵌合部材13のネジ部13ｂに螺着するネジ溝12ａが形成されており、また、その先端開口部は前述した球状部材11の球部11ａよりも径小となる径小孔12ｂに形成されている。
【００５１】
従って、球状部材11の連結杆部11ｂから抜け止め連結部材12の後端開口部に該球状部材11を挿入して径小孔12ｂに球部11ａを位置せしめ、この状態で該抜け止め連結部材12を嵌合部材13のネジ部13ｂへ螺着することで、球状部材11と嵌合部材13（ネジ部13ｂ）とは抜け止め状態で遊動自在に連結される。
【００５２】
この抜け止め連結部材12と球状部材11とにより前述した屈曲部10が構成され、図６に図示したようにこの屈曲部10により、添設体３は適宜屈曲させることが可能となる。
【００５３】
本実施例は、添設体３を構成する各構成部材全て（ピン４以外の部材）がエックス線透過性の合成樹脂で形成されている。
【００５４】
治癒状態の確認の為など、骨５に対するピン４の刺入状況をレントゲンにより見る場合、添設体３が写らないから、それだけ適確に治癒状態が確認できる。
【００５５】
尚、添設体３は前述した合成樹脂製に限らず、例えば金属製でも良いなど、本実施例の特性を発揮し得る構成であればどのような構成も適宜採用し得るものである。
【００５６】
本実施例では、添設体３の両端部に骨５に刺入したピン４を支持する構造のピン支持部を設けたが、ピン支持部は片側のみとし、他方を骨５近傍の身体部位に固定する構造、例えば身体部位にバンドを巻き付ける構造などでも良く、本実施例の特性を発揮し得る構成であればどのような構成も適宜採用し得るものである。
【００５７】
また、本実施例では、ピン４として、適宜な金属製の棒材の先端周面部にドリル状の刃が形成されたタイプのものが採用されている。尚、このピン４は、該ピン４が刺入される骨の状況に応じてその太さや形状等、適宜選択すると良い。
【００５８】
本実施例は、特に指の骨５を骨折した際の治療に使用するもので、以下、その使用方法を説明する。尚、本実施例の使用場面は指の骨５の骨折に対する治療に限らないのは勿論である。
【００５９】
先ず、切離した骨５ａ，５ｂ夫々に２本づつピン４を刺入し、指に添設体３を添設するとともに、各骨５ａ，５ｂに刺入した夫々のピン４を左ピン支持部１Ａ及び右ピン支持部１Ｂで支持する。尚、左ピン支持部１Ａ，右ピン支持部１Ｂ夫々で支持した状態のピン４を骨５ａ，５ｂに刺入するようにしても良い。
【００６０】
この際、左ピン支持部１Ａで支持するピン４を刺入する箇所が、関節付近ではなく、ピン４を骨５ａの長さ方向に並設して該骨５ａに刺入するに十分な長さのある箇所であった場合、ピン４を骨５ａの長さ方向に並設して刺入し、これら各ピン４を左ピン支持部１Ａに係る第一ピン並設支持構造部６で支持することになる。
【００６１】
一方、左ピン支持部１Ａで支持するピン４を刺入する箇所が、図７，８に図示したように関節付近であり、ピン４を骨５ａの長さ方向に並設して該骨５ａに刺入するに十分な長さがない箇所であった場合、ピン４を骨５ａの巾方向に並設して該骨５ａに刺入し、これら各ピン４を第二ピン並設支持構造部７で支持することになる。尚、添設体３から突出するピン４の基端部位は切除する。
【００６２】
その後の骨５ａ，５ｂの成長によって切離部５ｃが消失した後（骨折が治癒した後）、骨５ａ，５ｂからピン４を除去して治療は完了する。
【００６３】
本実施例は上述のように構成したから、前述した従来から提案されるものと異なり、ピン４を刺入する箇所に応じて、左ピン支持部１Ａに係る第一ピン並設支持構造部６と第二ピン並設支持構造部７を選択するだけで良いから、治療箇所への装着作業が迅速且つ良好に行なえることになり、しかも、部品点数を少なくすることができるためコスト安にして量産性に秀れることになる。尚、場合によっては左ピン支持部１Ａに係る第一ピン並設支持構造部６と第二ピン並設支持構造部７双方にピン４を支持させるようにしても良い。
【００６４】
また、本実施例は、添設体３は左ピン支持部１Ａと右ピン支持部１Ｂとが屈曲部10（若しくは湾曲部）を介して連設された構成であるから、骨５の湾曲などの治療箇所の条件に応じて添設体３を適宜屈曲若しくは湾曲させて添設して良好な治療を実現し得ることになる。
【実施例２】
【００６５】
本発明の具体的な実施例２について図９，10に基づいて説明する。
【００６６】
本実施例は、図９，10に示すように右ピン支持部１Ｂの箱状部材24と架設部材25とを適度な柔軟性を有する合成樹脂製の部材で一体成形した別タイプであり、架設部材25と箱状部材24の両側面部24ａ，24ｂとの連設部23ａ，23ｂは肉薄状に形成されている。
【００６７】
従って、右ピン支持部１Ｂは、各連設部23ａ，23ｂが適度な柔軟性を有するため、箱状部材24と架設部材25との間に連結部材21を架設連結してナット部材21ｂを締め付け螺動させた際、この連設部23ａ，23ｂが撓み変形することで空間20に配したピン４に対して箱状部材24と架設部材25とが押圧状態で当接することになる。
【００６８】
その余は実施例１と同様である。
【００６９】
尚、本発明は、実施例１，２に限られるものではなく、各構成要件の具体的構成は適宜設計し得るものである。
【図面の簡単な説明】
【００７０】
【図１】実施例１を示す斜視図である。
【図２】実施例１を示す分解斜視図である。
【図３】実施例１を示す背面図である。
【図４】実施例１を示す平面図である。
【図５】実施例１に係る要部の説明断面図である。
【図６】実施例１の動作説明図である。
【図７】実施例１の使用状態説明図である。
【図８】実施例１の使用状態説明図である。
【図９】実施例２の動作説明図である。
【図１０】実施例２の動作説明図である。
【符号の説明】
【００７１】
１Ａ  左ピン支持部
１Ｂ  右ピン支持部
３  添設体
４  ピン
５  骨
５ａ  骨
５ｂ  骨
５ｃ  切離部
６  第一ピン並設支持構造部
７  第二ピン並設支持構造部
【図１】
2006101896.tif 000003
【図２】
2006101896.tif 000004
【図３】
2006101896.tif 000005
【図４】
2006101896.tif 000006
【図５】
2006101896.tif 000007
【図６】
2006101896.tif 000008
【図７】
2006101896.tif 000009
【図８】
2006101896.tif 000010
【図９】
2006101896.tif 000011
【図１０】
2006101896.tif 000012